(57)【要約】      （修正有）【課題】撮像者が、撮像される画像を確認しながら自分の頭部の側面を撮像することを可能とする。【解決手段】撮像装置保持器具１の矩形フレーム１３１には鏡１１が、また、矩形フレーム１３２には鏡１２が、各々保持されている。ユーザは、カメラ保持台に保持されている撮像装置の裏面のモニタを見ながら、自分の側頭部がモニタの中央に表示されるように自分に対する撮像装置保持器具の位置を調整する。鏡１１と鏡１２を結ぶ辺ＢＣを底辺とする直角二等辺三角形ＡＢＣの頂点Ａがユーザの頭の位置に一致すると、撮像装置のモニタに正対するユーザの側頭部が撮像装置のモニタに表示される。ユーザは自分の側頭部の画像をモニタで確認しながら撮像装置に対し撮像指示を行うことができる。【選択図】図２
2017173630.tif 000002
【特許請求の範囲】
【請求項１】
第１の鏡と、
第２の鏡と、
前記第１の鏡で反射した光が前記第２の鏡に向かい前記第２の鏡で反射した後に撮像装置に向かう位置関係で前記第１の鏡と前記第２の鏡と前記撮像装置とを保持する保持部と
を備える撮像装置保持器具。
【請求項２】
前記保持部は、前記第２の鏡と前記撮像装置の間の距離を調整する調整機構を有する
請求項１に記載の撮像装置保持器具。
【請求項３】
第３の鏡と、
第４の鏡と
を備え、
前記保持部は、前記第３の鏡で反射した光が前記第１の鏡に向かい前記第１の鏡で反射した後に前記第２の鏡に向かうように前記第３の鏡と前記第１の鏡の位置関係を維持しつつ、当該光が前記第３の鏡から前記第１の鏡に向かう経路を軸とする軸周りに前記第３の鏡が回転可能な状態で、前記第３の鏡を保持し、
前記保持部は、前記第４の鏡で反射した光が前記第２の鏡に向かい前記第２の鏡で反射した後に前記第１の鏡に向かうように前記第４の鏡と前記第２の鏡の位置関係を維持しつつ、当該光が前記第４の鏡から前記第２の鏡に向かう経路を軸とする軸周りに前記第４の鏡が回転可能な状態で、前記第４の鏡を保持し、
前記保持部は、前記第１の鏡で反射した光が前記第２の鏡に向かい前記第２の鏡で反射した後に前記第４の鏡に向かい前記第４の鏡で反射した後に前記撮像装置に向かう位置関係で前記撮像装置を保持する
請求項１に記載の撮像装置保持器具。
【請求項４】
前記保持部は、前記第４の鏡と前記撮像装置の間の距離を調整する調整機構を有する
請求項３に記載の撮像装置保持器具。
【請求項５】
前記保持部は、前記第１の鏡と前記第２の鏡の間の距離を調整する調整機構を有する
請求項１乃至４のいずれか１項に記載の撮像装置保持器具。
【発明の詳細な説明】
【技術分野】
【０００１】
本発明は、頭部側面の画像を撮像する技術に関する。
【背景技術】
【０００２】
カメラにより自分自身を撮像したい場合がある。通常のカメラにはレンズ側にモニタがないため、自分自身を撮像する場合、撮像者は自分がどのように写るのかを確認しながら撮像操作を行うことができない。
【０００３】
上記の課題を解決する技術が提案されている。例えば、特許文献１には、画像を表示しない時には透明となる表示面を撮影レンズ側の面に配置したカメラが提案されている。特許文献１に記載のカメラによれば、撮影者は自分の表情を確認しながら、かつ視線が正しく撮影レンズを向いた自分自身の顔を撮影することができる、とされている。
【先行技術文献】
【特許文献】
【０００４】
【特許文献１】特開２００６−１１５４７４号公報
【発明の概要】
【発明が解決しようとする課題】
【０００５】
頭部の側面を撮像したい、というニーズがある。例えば、位置情報が付帯された音源信号に頭部伝達関数を畳み込んだバイノーラル信号を用いてヘッドフォン等により受聴者に音響を提供することで、受聴者に対し高い臨場感をもたらす音響を提供する技術がある。この技術において用いられる頭部伝達関数を特定するために、頭部の側面の画像が用いられる。
【０００６】
撮像者が自分の頭部の側面を撮像することができれば、他人に撮像作業を依頼する必要がなく便利である。例えば特許文献１に記載のカメラを用いても、撮像者は自分の頭部の側面を撮像する際、どのような画像が写るのかを確認しながら撮像操作を行うことはできない。撮像の際、カメラが撮像者の視線の方向にないためである。
【０００７】
これに対し本発明は、撮像者が、撮像される画像を確認しながら自分の頭部の側面を撮像することを可能とする手段を提供する。
【課題を解決するための手段】
【０００８】
本発明は、第１の鏡と、第２の鏡と、前記第１の鏡で反射した光が前記第２の鏡に向かい前記第２の鏡で反射した後に撮像装置に向かう位置関係で前記第１の鏡と前記第２の鏡と前記撮像装置とを保持する保持部とを備える撮像装置保持器具を提供する。
【０００９】
上記の撮像装置保持器具において、前記保持部は、前記第２の鏡と前記撮像装置の間の距離を調整する調整機構を有してもよい。
【００１０】
また、上記の撮像装置保持器具において、第３の鏡と、第４の鏡とを備え、前記保持部は、前記第３の鏡で反射した光が前記第１の鏡に向かい前記第１の鏡で反射した後に前記第２の鏡に向かうように前記第３の鏡と前記第１の鏡の位置関係を維持しつつ、当該光が前記第３の鏡から前記第１の鏡に向かう経路を軸とする軸周りに前記第３の鏡が回転可能な状態で、前記第３の鏡を保持し、前記保持部は、前記第４の鏡で反射した光が前記第２の鏡に向かい前記第２の鏡で反射した後に前記第１の鏡に向かうように前記第４の鏡と前記第２の鏡の位置関係を維持しつつ、当該光が前記第４の鏡から前記第２の鏡に向かう経路を軸とする軸周りに前記第４の鏡が回転可能な状態で、前記第４の鏡を保持し、前記保持部は、前記第１の鏡で反射した光が前記第２の鏡に向かい前記第２の鏡で反射した後に前記第４の鏡に向かい前記第４の鏡で反射した後に前記撮像装置に向かう位置関係で前記撮像装置を保持してもよい。
【００１１】
また、上記の撮像装置保持器具において、前記保持部は、前記第４の鏡と前記撮像装置の間の距離を調整する調整機構を有してもよい。
【００１２】
また、上記の撮像装置保持器具において、前記保持部は、前記第１の鏡と前記第２の鏡の間の距離を調整する調整機構を有してもよい。
【発明の効果】
【００１３】
本発明によれば、撮像者は、撮像される画像を確認しながら自分の頭部の側面を撮像することができる。
【図面の簡単な説明】
【００１４】
【図１】第１実施形態にかかる撮像装置保持器具の斜視図。
【図２】第１実施形態にかかる撮像装置保持器具の上面図。
【図３】第１実施形態にかかる撮像装置保持器具の使用方法を説明するための図。
【図４】第１実施形態にかかる撮像装置保持器具の使用方法を説明するための図。
【図５】第２実施形態にかかる撮像装置保持器具の斜視図。
【図６】第２実施形態にかかる撮像装置保持器具が備えるプレートの構造を示した図。
【図７】第２実施形態にかかる撮像装置保持器具が備えるプレートの構造を示した図。
【図８】第２実施形態にかかる撮像装置保持器具が備えるプレートの構造を示した図。
【図９】第２実施形態にかかる撮像装置保持器具の斜視図。
【図１０】第２実施形態にかかる撮像装置保持器具が備えるフレームの位置関係を例示した図。
【図１１】第２実施形態にかかる撮像装置保持器具が備えるフレームの位置関係を例示した図。
【図１２】第２実施形態にかかる撮像装置保持器具が備えるフレームの位置関係を例示した図。
【図１３】一変形例にかかる撮像装置保持器具の斜視図。
【図１４】一変形例にかかる撮像装置保持器具の斜視図。
【図１５】一変形例にかかる撮像装置保持器具の連結フレームに対する鏡の角度を例示した図。
【図１６】一変形例にかかる撮像装置保持器具の連結フレームに対する鏡の角度を例示した図。
【図１７】一変形例にかかる撮像装置保持器具における光の経路を例示した図。
【発明を実施するための形態】
【００１５】
［第１実施形態］
以下に本発明の第１実施形態にかかる撮像装置保持器具１を説明する。撮像装置保持器具１は通常のカメラ（撮像装置）を用いて、撮像者が自分の側頭部を、撮像される画像を確認しながら撮像することを可能とする器具である。
【００１６】
図１は撮像装置保持器具１の斜視図である。撮像装置保持器具１は、鏡１１と、鏡１２と、フレーム１３と、カメラ保持台１４と、クリップ１５を備える。鏡１１および鏡１２の図１において見えている側の面が反射面である。鏡１１と鏡１２は平面鏡であり、それらの形状は矩形である。なお、図１の例では鏡１１と鏡１２の形状は正方形であるが、長方形であってもよい。
【００１７】
フレーム１３は多数の棒状部材を立体的に連結したものである。フレーム１３を構成する棒状部材の断面の形状は円、矩形等のいずれでもよく、また、中空のパイプが用いられてもよい。フレーム１３を構成する棒状部材の素材は金属、硬質プラスチック等の剛性の高い素材であればいずれでもよい。また、フレーム１３を構成する棒状部材の連結の方法は、溶接、接着、連結部材を用いた連結、一体成型等のうち、素材に応じて採用可能ないずれの方法であってもよい。
【００１８】
以下の説明において、「上」、「下」、「左」、「右」、「手前」、「奥」、という場合、それらは図１における部材の位置関係を意味する。すなわち、撮像装置保持器具１が使用される際には、それらの部材の位置関係は様々に変化する。
【００１９】
フレーム１３は、鏡１１の上、下、右、左の各々に配置された棒状部材１３１Ｕ、棒状部材１３１Ｄ、棒状部材１３１Ｒ、棒状部材１３１Ｌを備える。これらの棒状部材は鏡１１を囲む矩形フレーム１３１を構成し、鏡１１を保持する役割を果たす。
【００２０】
また、フレーム１３は、鏡１２の上、下、右、左の各々に配置された棒状部材１３２Ｕ、棒状部材１３２Ｄ、棒状部材１３２Ｒ、棒状部材１３２Ｌを備える。これらの棒状部材は鏡１２を囲む矩形フレーム１３２を構成し、鏡１２を保持する役割を果たす。
【００２１】
また、フレーム１３は、鏡１１を囲む矩形フレーム１３１と鏡１２を囲む矩形フレーム１３２を連結する棒状部材１３３Ｕと棒状部材１３３Ｄを備える。棒状部材１３３Ｕは矩形フレーム１３１の右上の角部に左側の端部が連結され、矩形フレーム１３２の左上の角部に右側の端部が連結されている。棒状部材１３３Ｄは矩形フレーム１３１の右下の角部に左側の端部が連結され、矩形フレーム１３２の左下の角部に右側の端部が連結されている。以下、棒状部材１３３Ｕと棒状部材１３３Ｄを連結フレーム１３３と呼ぶ。
【００２２】
また、フレーム１３は、鏡１２を囲む矩形フレーム１３２左上の角部、右上の角部、左下の角部、右下の角部の各々に奥側の端部が連結された棒状部材１３４ＬＵ、棒状部材１３４ＲＵ、棒状部材１３４ＬＤ、棒状部材１３４ＲＤを備える。
【００２３】
また、フレーム１３は、棒状部材１３４ＬＵの手前側の端部と棒状部材１３４ＲＵの手前側の端部を連結する棒状部材１３５Ｕ、棒状部材１３４ＲＵの手前側の端部と棒状部材１３４ＲＤの手前側の端部を連結する棒状部材１３５Ｒ、棒状部材１３４ＲＤの手前側の端部と棒状部材１３４ＬＤの手前側の端部を連結する棒状部材１３５Ｄ、棒状部材１３４ＬＤの手前側の端部と棒状部材１３４ＬＵの手前側の端部を連結する棒状部材１３５Ｌを備える。
【００２４】
棒状部材１３５Ｕ、棒状部材１３５Ｒ、棒状部材１３５Ｄ、棒状部材１３５Ｌは、鏡１２を囲む矩形フレーム１３２より手前側において矩形フレーム１３５を構成する。矩形フレーム１３５はカメラ保持台１４を支持する役割を果たす。
【００２５】
棒状部材１３４ＬＵ、棒状部材１３４ＲＵ、棒状部材１３４ＲＤ、棒状部材１３４ＬＤは、鏡１２を囲む矩形フレーム１３２とカメラ保持台１４を支持する矩形フレーム１３５を連結する役割を果たす。以下、棒状部材１３４ＬＵ、棒状部材１３４ＲＵ、棒状部材１３４ＲＤ、棒状部材１３４ＬＤを連結フレーム１３４と呼ぶ。
【００２６】
矩形フレーム１３５の下側の辺、すなわち、棒状部材１３５Ｄには、カメラ保持台１４が矩形フレーム１３５から手前側に突出するように連結されている。カメラ保持台１４は、硬質プラスチック、金属等の剛性の高い素材でできた板状部材であり、その上にカメラが載せ置かれた状態でカメラを保持する役割を果たす。
【００２７】
カメラ保持台１４の手前右の角部にはクリップ１５を構成するクリップ１５Ｒが設けられている。また、カメラ保持台１４の手前左の角部にはクリップ１５を構成するクリップ１５Ｌが設けられている。すなわち、クリップ１５は左右で一対をなすクリップ１５Ｒとクリップ１５Ｌで構成される。
【００２８】
クリップ１５Ｒとクリップ１５Ｌは各々、手前下側の端部がカメラ保持台１４に、カメラ保持台１４の左右方向を軸とする軸周りに回転可能に取り付けられている。また、クリップ１５Ｒとクリップ１５Ｌは各々、バネにより図１において矢印が示す方向、すなわち、奥側へと付勢されている。
【００２９】
図２は撮像装置保持器具１の上面図である。図２に示されるように、撮像装置保持器具１を上から見た状態において、矩形フレーム１３１は連結フレーム１３３に対し時計回りに１１２．５度で連結されている。また、矩形フレーム１３２は連結フレーム１３３に対し反時計回りに１１２．５度で連結されている。
【００３０】
また、連結フレーム１３４は矩形フレーム１３２に対し、時計回りに６７．５度、すなわち、反時計回りに１１２．５度で連結されている。また、矩形フレーム１３５は連結フレーム１３４に対し、時計回りおよび反時計回りに９０度で連結されている。
【００３１】
上記の角度でフレームが連結されているため、図２に矢印で示すように、点Ａから鏡１１に向かう光は、鏡１１の点Ｂで反射した後、鏡１２に向かい、鏡１２の点Ｃで反射した後、点Ａに向かう。なお、点Ａ、点Ｂおよび点Ｃは、辺ＢＣを底辺とする直角二等辺三角形の頂点である。
【００３２】
上記のような構成を備える撮像装置保持器具１のフレーム１３およびカメラ保持台１４は、点Ａから鏡１１に向かう光が鏡１１で反射した後に鏡１２に向かい、鏡１２で反射した後に撮像装置に向かう位置関係で鏡１１と鏡１２と撮像装置とを保持する保持部を構成する。
【００３３】
図３は撮像装置保持器具１の使用方法を説明するための図である。撮像者であり被写体でもあるユーザＵは、撮像装置９のレンズが鏡１２の方向を向くように撮像装置９をカメラ保持台１４の上に載せ置き、撮像装置９をクリップ１５により固定する。続いて、ユーザＵは撮像装置９の裏面に配置されているモニタに自分の側頭部（図３の例では左側頭部）が表示されるように、撮像装置９が取り付けられた撮像装置保持器具１の位置を調整する。
【００３４】
図３に示されるように、ユーザＵが撮像装置９のモニタに正対した状態で、上から見てユーザＵの頭部の中央位置が図２の点Ａの位置となるように撮像装置保持器具１の位置が調整されると、撮像装置９のモニタにはユーザＵの側頭部が表示される。ユーザＵは自分の側頭部がモニタに表示されていることを確認しながら、撮像装置９に対する撮像操作を行う。その結果、撮像装置９によりユーザＵの側頭部が撮像される。
【００３５】
撮像装置保持器具１が図３に示される状態で使用される場合、撮像装置９が撮像する画像は、鏡１２に映った、鏡１１に映ったユーザＵの側頭部の画像となる。
【００３６】
図４は、図３に示される使用方法とは異なる、撮像装置保持器具１の使用方法を説明するための図である。ユーザＵは、撮像装置９の裏面に配置されているモニタが鏡１２の方向を向くように撮像装置９をカメラ保持台１４の上に載せ置き、撮像装置９をクリップ１５により固定する。続いて、ユーザＵは鏡１１に自分の側頭部（図４の例では右側頭部）が表示されるように、撮像装置９が取り付けられた撮像装置保持器具１の位置を調整する。
【００３７】
図４に示されるように、ユーザＵが鏡１１に正対した状態で、上から見てユーザＵの頭部の中央位置が図２の点Ａの位置となるように撮像装置保持器具１の位置が調整されると、鏡１１にはユーザＵの側頭部が映る。ユーザＵは自分の側頭部が鏡１１に映っていることを確認しながら、撮像装置９に対する撮像操作を行う。その結果、撮像装置９によりユーザＵの側頭部が撮像される。なお、図４における光の経路は図３における光の経路と同じであるが、光の進む方向は逆方向である。
【００３８】
撮像装置保持器具１が図４に示される状態で使用される場合、撮像装置９が撮像する画像は、鏡１１および鏡１２のいずれも介さずにユーザＵの側頭部を直接撮像した画像となる。なお、撮像装置保持器具１が図４に示される状態で使用される場合、ユーザＵが撮像時に確認する画像は、鏡１１に映った、鏡１２に映った撮像装置９のモニタの画像である。
【００３９】
上述した撮像装置保持器具１によれば、ユーザＵは、撮像される画像を確認しながら自分の頭部の側面を撮像することができる。
【００４０】
［第２実施形態］
以下に本発明の第２実施形態にかかる撮像装置保持器具２を説明する。撮像装置保持器具２は撮像装置保持器具１と同様に、通常のカメラ（撮像装置）を用いて、撮像者が自分の側頭部を、撮像される画像を確認しながら撮像することを可能とする器具である。撮像装置保持器具２においては、撮像装置保持器具１と異なり、撮像装置保持器具における撮像装置の方向、ユーザが撮像される画像を確認するために見る鏡、もしくは、ユーザが自分の側頭部に対峙させる鏡の方向を調整することができる。
【００４１】
図５は撮像装置保持器具２の斜視図である。以下の説明において、「上」、「下」、「左」、「右」、「手前」、「奥」、という場合、それらは図５における部材の位置関係を意味する。すなわち、撮像装置保持器具２が使用される際には、それらの部材の位置関係は様々に変化する。
【００４２】
以下の説明において、撮像装置保持器具２が撮像装置保持器具１と共通して備える構成については適宜その説明を省略する。
【００４３】
撮像装置保持器具２は、鏡２１と、鏡２１の右方向の位置に配置されている鏡２２と、鏡２１の下方向の位置に配置されている鏡２３と、鏡２２の下方向の位置に配置されている鏡２４を備える。鏡２１と鏡２２の下側の面が反射面である。また、鏡２３と鏡２４の手前側の面が反射面である。なお、図５においては、鏡に隠れて見えない部分も図示している。
【００４４】
撮像装置保持器具２は、さらに、その上に撮像装置９（図５においては図示せず）が載せ置かれた状態で撮像装置９を保持するカメラ保持台２８と、カメラ保持台２８に載せ置かれた撮像装置９を固定するためのクリップ２９を備える。クリップ２９は、撮像装置保持器具１が備えるクリップ１５Ｒおよびクリップ１５Ｌと同様の構成のクリップ２９Ｒおよびクリップ２９Ｌを備える。
【００４５】
撮像装置保持器具２は、さらに、鏡２１、鏡２２、鏡２３、鏡２４およびクリップ２９の取り付けられたカメラ保持台２８を図５に示される位置関係で保持するフレーム２５、フレーム２６、フレーム２７を備える。
【００４６】
フレーム２５は鏡２１と鏡２２を保持するフレームである。フレーム２５は、まず、鏡２１の下方において、図５における水平面に沿う方向に配置された、中央に円形の大きな貫通孔を有する矩形の板状部材であるプレート２５１を備える。鏡２１は、その下側の辺がプレート２５１の左上の辺に沿う位置で、プレート２５１に対し、手前から見て反時計回りに４５度となるように斜めに配置されている。
【００４７】
フレーム２５は、さらに、鏡２１の上、手前、奥の各々に配置された棒状部材２５２Ｕ、棒状部材２５２Ｆ、棒状部材２５２Ｂを備える。これらの棒状部材は、プレート２５１とともに鏡２１を囲み、鏡２１を保持する役割を果たす。以下、棒状部材２５２Ｕ、棒状部材２５２Ｆ、棒状部材２５２Ｂを矩形フレーム２５２と呼ぶ。なお、本実施形態の説明において、４辺の揃った矩形のフレームに加え、４辺のうち１辺が空いた形状のフレームも便宜的に「矩形フレーム」と呼ぶ。
【００４８】
フレーム２５は、さらに、プレート２５１の右手前の角部と矩形フレーム２５２の上手前の角部を連結する棒状部材２５３Ｆと、プレート２５１の右奥の角部と矩形フレーム２５２の上奥の角部を連結する棒状部材２５３Ｂを備える。以下、棒状部材２５３Ｆと棒状部材２５３Ｂを連結フレーム２５３と呼ぶ。連結フレーム２５３はプレート２５１と鏡２１の角度を維持する役割を果たす。
【００４９】
フレーム２５は、さらに、鏡２２の下方において、図５における水平面に沿う方向に配置された、中央に円形の大きな貫通孔を有する矩形の板状部材であるプレート２５４を備える。鏡２２は、その下側の辺がプレート２５４の右上の辺に沿う位置で、プレート２５４に対し、手前から見て時計回りに４５度となるように斜めに配置されている。
【００５０】
フレーム２５は、さらに、鏡２２の上、手前、奥の各々に配置された棒状部材２５５Ｕ、棒状部材２５５Ｆ、棒状部材２５５Ｂを備える。これらの棒状部材は、プレート２５４とともに鏡２２を囲み、鏡２２を保持する役割を果たす。以下、棒状部材２５５Ｕ、棒状部材２５５Ｆ、棒状部材２５５Ｂを矩形フレーム２５５と呼ぶ。
【００５１】
フレーム２５は、さらに、プレート２５４の左手前の角部と矩形フレーム２５５の上手前の角部を連結する棒状部材２５６Ｆと、プレート２５４の左奥の角部と矩形フレーム２５５の上奥の角部を連結する棒状部材２５６Ｂを備える。以下、棒状部材２５６Ｆと棒状部材２５６Ｂを連結フレーム２５６と呼ぶ。連結フレーム２５６はプレート２５４と鏡２２の角度を維持する役割を果たす。
【００５２】
フレーム２５は、さらに、プレート２５１の右手前の角部とプレート２５４の左手前の角部を連結する棒状部材２５７ＤＦと、プレート２５１の右奥の角部とプレート２５４の左奥の角部を連結する棒状部材２５７ＤＢと、矩形フレーム２５２の上手前の角部と矩形フレーム２５５の上手前の角部を連結する棒状部材２５７ＵＦと、矩形フレーム２５２の上奥の角部と矩形フレーム２５５の上奥の角部を連結する棒状部材２５７ＵＢを備える。以下、棒状部材２５７ＤＦ、棒状部材２５７ＤＢ、棒状部材２５７ＵＦ、棒状部材２５７ＵＢを連結フレーム２５７と呼ぶ。連結フレーム２５７は、鏡２１と鏡２２を連結する役割を果たす。
【００５３】
フレーム２６は、鏡２１の下側において鏡２３を保持するフレームである。フレーム２６は、まず、プレート２５１の下側に配置されている、中央に円形の大きな貫通孔を有する矩形の板状部材であるプレート２６１を備える。プレート２６１は、後述するように、プレート２５１に対し鉛直方向を軸とする軸周りに回転可能に取り付けられている。
【００５４】
鏡２３は、その上側の辺がプレート２６１の下奥の辺に沿う位置で、プレート２６１に対し、左から見て時計回りに４５度となるように斜めに配置されている。
【００５５】
フレーム２６は、さらに、鏡２３の右、左、手前の各々に配置された棒状部材２６２Ｒ、棒状部材２６２Ｌ、棒状部材２６２Ｆを備える。これらの棒状部材は、プレート２６１とともに鏡２３を囲み、鏡２３を保持する役割を果たす。以下、棒状部材２６２Ｒ、棒状部材２６２Ｌ、棒状部材２６２Ｆを矩形フレーム２６２と呼ぶ。
【００５６】
フレーム２６は、さらに、プレート２６１の左手前の角部と矩形フレーム２６２の左手前の角部を連結する棒状部材２６３Ｌと、プレート２６１の右手前の角部と矩形フレーム２６２の右手前の角部を連結する棒状部材２６３Ｒを備える。以下、棒状部材２６３Ｌと棒状部材２６３Ｒを連結フレーム２６３と呼ぶ。連結フレーム２６３はプレート２６１と鏡２３の角度を維持する役割を果たす。
【００５７】
フレーム２７は、鏡２２の下側において鏡２４を保持するとともに、鏡２４の手前側の位置においてカメラ保持台２８を保持するフレームである。フレーム２７は、まず、プレート２５４の下側に配置されている、中央に円形の大きな貫通孔を有する矩形の板状部材であるプレート２７１を備える。プレート２７１は、後述するように、プレート２５４に対し鉛直方向を軸とする軸周りに回転可能に取り付けられている。
【００５８】
鏡２４は、その上側の辺がプレート２７１の下奥の辺に沿う位置で、プレート２７１に対し、右から見て反時計回りに４５度となるように斜めに配置されている。
【００５９】
フレーム２７は、さらに、鏡２４の右、左、手前の各々に配置された棒状部材２７２Ｒ、棒状部材２７２Ｌ、棒状部材２７２Ｆを備える。これらの棒状部材は、プレート２７１とともに鏡２４を囲み、鏡２４を保持する役割を果たす。以下、棒状部材２７２Ｒ、棒状部材２７２Ｌ、棒状部材２７２Ｆを矩形フレーム２７２と呼ぶ。
【００６０】
フレーム２７は、さらに、プレート２７１の左手前の角部と矩形フレーム２７２の左手前の角部を連結する棒状部材２７３Ｌと、プレート２７１の右手前の角部と矩形フレーム２７２の右手前の角部を連結する棒状部材２７３Ｒを備える。以下、棒状部材２７３Ｌと棒状部材２７３Ｒを連結フレーム２７３と呼ぶ。連結フレーム２７３はプレート２７１と鏡２４の角度を維持する役割を果たす。
【００６１】
フレーム２７は、さらに、プレート２７１の左手前の角部、プレート２７１の右手前の角部、矩形フレーム２７２の左手前の角部、矩形フレーム２７２の右手前の角部の各々に奥側の端部が連結された棒状部材２７４ＬＵ、棒状部材２７４ＲＵ、棒状部材２７４ＬＤ、棒状部材２７４ＲＤを備える。
【００６２】
フレーム２７は、さらに、棒状部材２７４ＬＵの手前側の端部と棒状部材２７４ＲＵの手前側の端部を連結する棒状部材２７５Ｕ、棒状部材２７４ＲＵの手前側の端部と棒状部材２７４ＲＤの手前側の端部を連結する棒状部材２７５Ｒ、棒状部材２７４ＲＤの手前側の端部と棒状部材２７４ＬＤの手前側の端部を連結する棒状部材２７５Ｄ、棒状部材２７４ＬＤの手前側の端部と棒状部材２７４ＬＵの手前側の端部を連結する棒状部材２７５Ｌを備える。
【００６３】
棒状部材２７５Ｕ、棒状部材２７５Ｒ、棒状部材２７５Ｄ、棒状部材２７５Ｌは、鏡２４を囲む矩形フレーム２７２より手前側において矩形フレーム２７５を構成する。矩形フレーム２７５はカメラ保持台２８を支持する役割を果たす。
【００６４】
棒状部材２７４ＬＵ、棒状部材２７４ＲＵ、棒状部材２７４ＲＤ、棒状部材２７４ＬＤは、鏡２４を囲む矩形フレーム２７２およびプレート２７１とカメラ保持台２８を支持する矩形フレーム２７５を連結する役割を果たす。以下、棒状部材２７４ＬＵ、棒状部材２７４ＲＵ、棒状部材２７４ＲＤ、棒状部材２７４ＬＤを連結フレーム２７４と呼ぶ。
【００６５】
矩形フレーム２７５の下側の辺、すなわち、棒状部材２７５Ｄには、カメラ保持台２８が矩形フレーム２７５から手前側に突出するように連結されている。カメラ保持台２８には、既述のようにクリップ２９が取り付けられている。
【００６６】
上述したように、プレート２６１はプレート２５１に対し、鉛直方向を軸とする軸周りに回転可能な状態で連結されている。また、プレート２７１はプレート２５４に対し、鉛直方向を軸とする軸周りに回転可能な状態で連結されている。図６、図７および図８はこれらのプレートの構造を示した図である。
【００６７】
プレート２５１とプレート２５４の構造は同じである。図６はプレート２５１またはプレート２５４の上面図（図６（Ａ））と断面図（図６（Ｂ）、図６（Ａ）に示すＤ−Ｄ線断面図）である。また、プレート２６１とプレート２７１の構造は同じである。図７はプレート２６１またはプレート２７１の上面図（図７（Ａ））と断面図（図７（Ｂ）、図７（Ａ）に示すＥ−Ｅ線断面図）である。図８はプレート２５１とプレート２６１のアセンブリ、または、プレート２５４とプレート２７１のアセンブリの上面図（図８（Ａ））と断面図（図８（Ｂ）、図８（Ａ）に示すＦ−Ｆ線断面図）である。
【００６８】
図６に示されるように、プレート２５１およびプレート２５４には、中央の開口部の縁辺の上側に切り欠きＫが設けられている。また、図７に示されるように、プレート２６１およびプレート２７１は、中央の開口部の縁辺の上側の複数の位置から上方向に延伸する複数の爪Ｌを備える。爪Ｌはその先端が開口部中央から見て外側に向かうように折れ曲がっている。
【００６９】
図８に示されるように、プレート２５１とプレート２６１は、プレート２５１の切り欠きＫにプレート２６１の爪Ｌが掛かった状態で積層されている。この状態において、プレート２６１がプレート２５１に対し、図８（Ｂ）における上下方向（図５における鉛直方向）を軸とする軸周りに回転されると、先端が切り欠きＫの上をスライドする爪Ｌによって、プレート２６１がプレート２５１に掛け留められた状態が保たれる。プレート２５４とプレート２７１も同様である。
【００７０】
図９は、プレート２５１に対するプレート２６１の鉛直方向の軸周りの角度、および、プレート２５４に対するプレート２７１の鉛直方向の軸周りの角度が、図５に示される状態から変更された状態の撮像装置保持器具２を例示した図である。図９に示されるように、ユーザＵはフレーム２５に対するフレーム２６およびフレーム２７の角度を自由に変更することができる。その結果、ユーザＵは鏡２１に対する鏡２３の角度、および、鏡２２に対する鏡２４の角度を自由に変更することができる。
【００７１】
図９に示される矢印は、光の経路の一例を示している。すなわち、プレート２６１の下手前の辺縁と、連結フレーム２６３（棒状部材２６３Ｌと棒状部材２６３Ｒ）と、棒状部材２６２Ｆで構成される矩形のフレームに対し垂直な方向から鏡２３に向かう光は、鏡２３で反射した後、鏡２１に向かい、鏡２１で反射した後、鏡２２に向かい、鏡２２で反射した後、鏡２４に向かい、鏡２４で反射した後、矩形フレーム２７５に垂直な方向に向かう。
【００７２】
鏡２３は鏡２１に対し、上記の光が鏡２３から鏡２１に向かう経路を軸とする軸周りに回転可能な状態で保持されている。また、鏡２４は鏡２２に対し、上記の光が鏡２２から鏡２４に向かう経路を軸とする軸周りに回転可能な状態で保持されている。従って、図５に示す状態をフレーム２５に対するフレーム２６およびフレーム２７の定位置とすると、フレーム２６がフレーム２５に対し上から見て定位置より反時計回りに０度〜９０度（両端の値は含まない）の範囲内にあり、かつ、フレーム２７がフレーム２５に対し上から見て定位置より時計回りに０度〜９０度（両端の値は含まない）の範囲内にある限り、始点と終点が一致する光の経路を形作ることができる。
【００７３】
ユーザＵが、自分の頭の位置に、上述した光の経路の始点と終点が一致する位置を合わせるようにすれば、ユーザＵはカメラ保持台２８に取り付けられた撮像装置９のモニタにおいて自分の側頭部の画像を見ることができ（撮像装置９のレンズ側を鏡２４に向けて取り付けた場合）、もしくは、鏡２３に映る撮像装置９のモニタにおいて自分の側頭部の画像を見ることができる（撮像装置９の裏面のモニタ側を鏡２４に向けて取り付けた場合）。
【００７４】
撮像装置保持器具２において、フレーム２５とフレーム２６は、鏡２３で反射した光が鏡２１に向かい、鏡２１で反射した後に鏡２２に向かうように、鏡２３と鏡２１の位置関係を維持しつつ、その光が鏡２３から鏡２１に向かう経路を軸とする軸周りに鏡２３が回転可能な状態で、鏡２３を保持する。
【００７５】
また、フレーム２５とフレーム２７は、鏡２４で反射した光が鏡２２に向かい、鏡２２で反射した後に鏡２１に向かうように、鏡２４と鏡２２の位置関係を維持しつつ、その光が鏡２４から鏡２２に向かう経路を軸とする軸周りに鏡２４が回転可能な状態で、鏡２４を保持する。
【００７６】
また、フレーム２７は、鏡２１で反射した後に鏡２２で反射し、さらに鏡２４で反射した光が進む経路上の位置で撮像装置を保持する。従って、フレーム２５、フレーム２６、フレーム２７およびカメラ保持台２８は、上記のように鏡２１、鏡２２、鏡２３、鏡２４および撮像装置を保持する保持部を構成する。
【００７７】
図１０、図１１および図１２は、ユーザＵが自分の側頭部の画像を見ることができるフレーム２５、フレーム２６およびフレーム２７の位置関係を例示した図である。これらの図において、矢印は光の経路を示している。これらの図に示されるように、始点から鏡２３に向かう光の方向と、鏡２４から終点（始点と一致する点）に向かう光の方向が９０度を成すようにフレーム２５に対するフレーム２６の角度と、フレーム２５に対するフレーム２７の角度が調整されると、ユーザＵは撮像装置９のモニタの中央、もしくは、鏡２３の中央に、自分の側頭部の画像を見ることができる。
【００７８】
撮像装置保持器具２によれば、図１０、図１１および図１２に示されるように、ユーザＵは撮像装置９と自分の頭の間の距離、および、鏡２３と自分の頭の間の距離の比率を自由に変更できる。従って、ユーザＵは、撮像される画像における自分の側頭部の大きさを調整することができる。
【００７９】
また、撮像装置保持器具２によれば、撮像装置９がモニタを持たない場合であっても、ユーザＵは図１２に例示のように撮像装置９と自分の頭の間の距離が短くなるようにフレーム２５に対するフレーム２６およびフレーム２７の角度を調整することで、撮像装置９のファインダを覗いて撮像される画像を確認しながら撮像装置９に対する撮像指示を行うことができる。
【００８０】
［変形例］
以下に上述した実施形態の変形例を説明する。なお、以下の変形例の２以上が組み合わされてもよい。
【００８１】
（１）上述した第１実施形態において、保持部を構成するフレーム１３が、鏡１１と鏡１２の間の距離を調整する調整機構を備えてもよい。また、上述した第２実施形態において、保持部を構成するフレーム２５が、鏡２１と鏡２２の間の距離を調整する調整機構を備えてもよい。
【００８２】
図１３は撮像装置保持器具１に対し上記の変形を行った撮像装置保持器具３の斜視図である。撮像装置保持器具３は、撮像装置保持器具１が備える連結フレーム１３３に代えて、長さ調整機構を備える連結フレーム３３３を備える。
【００８３】
連結フレーム３３３は、連結フレーム１３３が備える棒状部材１３３Ｕに代えて、棒状部材３３３ＵＬ、棒状部材３３３ＵＲ、および固定ネジ３０１Ｕを備える。棒状部材３３３ＵＲは中空のパイプであり、その中空部に棒状部材３３３ＵＬが差し込まれた状態で、棒状部材３３３ＵＬが棒状部材３３３ＵＲに対し長手方向に移動可能となっている。固定ネジ３０１Ｕは棒状部材３３３ＵＲに対する棒状部材３３３ＵＬの位置を固定する。
【００８４】
また、連結フレーム３３３は、連結フレーム１３３が備える棒状部材１３３Ｄに代えて、棒状部材３３３ＤＬ、棒状部材３３３ＤＲ、および固定ネジ３０１Ｄを備える。これらの構成および役割は棒状部材３３３ＵＬ、棒状部材３３３ＵＲ、および固定ネジ３０１Ｕと同様である。
【００８５】
ユーザＵは固定ネジ３０１Ｕおよび固定ネジ３０１Ｄを緩め、棒状部材３３３ＵＲおよび棒状部材３３３ＤＲに対する棒状部材３３３ＵＬおよび棒状部材３３３ＤＬの位置を変更した後、固定ネジ３０１Ｕおよび固定ネジ３０１Ｄを締めることで、鏡１１と鏡１２の間の距離を調整することができる。なお、連結フレーム３３３が備える長さ調整機構は上記の構成に限られない。例えば、棒状部材３３３ＵＬおよび棒状部材３３３ＤＬが、棒状部材３３３ＵＲおよび棒状部材３３３ＤＲに設けられたレールの上をスライドすることにより、連結フレーム３３３の長さが変更可能であってもよい。
【００８６】
この変形例によれば、ユーザは撮像距離を変更することにより、撮像される画像における自分の側頭部の大きさを調整することができる。また、この変形例によれば、不使用時のサイズを小さくすることができる。
【００８７】
（２）上述した第１実施形態において、保持部を構成するフレーム１３が、鏡１２とカメラ保持台１４に保持される撮像装置の間の距離を調整する調整機構を備えてもよい。また、上述した第２実施形態において、保持部を構成するフレーム２７が、鏡２４とカメラ保持台２８に保持される撮像装置の間の距離を調整する調整機構を備えてもよい。
【００８８】
図１４は撮像装置保持器具１に対し上記の変形を行った撮像装置保持器具４の斜視図である。撮像装置保持器具４は、撮像装置保持器具１が備える連結フレーム１３４に代えて、長さ調整機構を備える連結フレーム４３４を備える。連結フレーム４３４が備える長さ調整機構は、例えば、上記の変形例（１）における連結フレーム３３３が備える長さ調整機構と同様である。
【００８９】
この変形例によれば、ユーザは撮像距離を変更することにより、撮像される画像における自分の側頭部の大きさを調整することができる。また、この変形例によれば、不使用時のサイズを小さくすることができる。また、この変形例によれば、ユーザは撮像装置を自分の目の位置まで近付けて、撮像装置のファインダを覗くことができる。
【００９０】
（３）上述した第１実施形態において、上から見た状態における連結フレーム１３３に対する鏡１１の角度は時計回りに１１２．５度であり、連結フレーム１３３に対する鏡１２の角度は反時計回りに１１２．５度である。これらの角度は、上から見た状態において概ね直角三角形を描く光の経路が形成される限り、様々に変更されてよい。図１５および図１６は、この変形例にかかる撮像装置保持器具１の連結フレーム１３３に対する鏡１１および鏡１２の角度を例示した図である。
【００９１】
また、上述した第２実施形態において、フレーム２５に対するフレーム２６の回転の軸は鏡２１に対して４５度の角度を成す。また、フレーム２５に対するフレーム２７の回転の軸は鏡２２に対して４５度の角度を成す。これらの角度は４５度に限られない。
【００９２】
図１７はこの変形例にかかる撮像装置保持器具２を正面から見た状態の、光の経路を例示した図である。図１７に例示の撮像装置保持器具２においては、図１７において鏡２３から鏡２１に向かう矢印の位置がフレーム２５に対するフレーム２６の回転の軸であり、鏡２２から鏡２４に向かう矢印の位置がフレーム２５に対するフレーム２７の回転の軸である。図１７に示されるように、これらの回転の軸は鏡２１および鏡２２に対し４５度ではない角度を成す。この場合においても、図１７において矢印で示されるように、撮像装置保持器具２によって、始点と終点が一致する光の経路が形成される。
【００９３】
第１実施形態にかかる撮像装置保持器具１と、第２実施形態にかかる撮像装置保持器具２は、第１の鏡（撮像装置保持器具１の鏡１１、撮像装置保持器具２の鏡２１）に向かう光が第１の鏡で反射した後に第２の鏡（撮像装置保持器具１の鏡１２、撮像装置保持器具２の鏡２２）に向かい、第２の鏡で反射した後に撮像装置に向かう位置関係で、第１の鏡と第２の鏡と撮像装置とを保持する保持部を備える。ただし、撮像装置保持器具２の保持部は、第３の鏡（鏡２３）で反射した光が第１の鏡に向かい、第１の鏡で反射した後に第２の鏡に向かう位置関係で第３の鏡を保持し、また、第２の鏡で反射した光が第４の鏡（鏡２４）に向かい、第４の鏡で反射した光が撮像装置に向かう位置関係で第４の鏡を保持する点で撮像装置保持器具１の保持部と異なっている。
【００９４】
第１の鏡に向かう光が第１の鏡で反射した後に第２の鏡に向かい、第２の鏡で反射した後に撮像装置に向かう位置関係とは、以下の条件（ａ）と（ｂ）を共に満たす位置関係である。
（ａ）第１の鏡と第２の鏡の位置関係が、第１の鏡の鏡面を含む平面と第２の鏡の鏡面を含む平面との交線に垂直で、第１の鏡の鏡面と第２の鏡の鏡面の各々と交わる平面が存在するような位置関係である。
（ｂ）撮像装置が、上記の第１の鏡の鏡面と第２の鏡の鏡面の各々と交わる平面の上に位置する。
【００９５】
上記の条件（ａ）と（ｂ）が満たされる限り、第１の鏡と第２の鏡の位置関係は様々に変更されてよい。
【００９６】
（４）上述した実施形態においては、鏡および撮像装置を保持する保持部は主として棒状部材により構成されている。これらの棒状部材の一部もしくは全てが、板状部材等の他の形状の部材で代替されてもよい。例えば、撮像装置保持器具１において、鏡１１を保持する矩形フレーム１３１と鏡１２を保持する矩形フレーム１３２が、連結フレーム１３３に代えて、板状部材により連結されてもよい。
【００９７】
また、上述した実施形態において例示した部材の一部が省かれてもよい。例えば、必要な強度が確保される限り、撮像装置保持器具１が連結フレーム１３４のうちの一部の棒状部材を備えなくてもよい。
【００９８】
また、撮像装置保持器具が、上述した実施形態において例示した部材に加えて、他の部材を備えてもよい。例えば、強度を増す目的で、撮像装置保持器具１が矩形フレーム１３１と連結フレーム１３４を連結する連結フレームを備えてもよい。
【００９９】
また、上述した実施形態において説明に用いた各部材の位置、長さ、大きさ、形状、数等は例示であって、様々に変更されてよい。
【０１００】
（５）上述した実施形態においては、撮像装置をカメラ保持台１４またはカメラ保持台２８に固定するための部材としてクリップ１５またはクリップ２９が採用されている。撮像装置をカメラ保持台に固定するための部材の構成は上述したクリップの構成に限られない。例えば、多くのカメラが底面に備えるネジ穴に対するネジによる締め付けによる固定、面ファスナーやゴムによる固定等がクリップに代えて採用されてもよい。
【符号の説明】
【０１０１】
１…撮像装置保持器具、２…撮像装置保持器具、３…撮像装置保持器具、４…撮像装置保持器具、９…撮像装置、１１…鏡、１２…鏡、１３…フレーム、１４…カメラ保持台、１５…クリップ、２１…鏡、２２…鏡、２３…鏡、２４…鏡、２５…フレーム、２６…フレーム、２７…フレーム、２８…カメラ保持台、２９…クリップ
【図１】
2017173630.tif 000003
【図２】
2017173630.tif 000004
【図３】
2017173630.tif 000005
【図４】
2017173630.tif 000006
【図５】
2017173630.tif 000007
【図６】
2017173630.tif 000008
【図７】
2017173630.tif 000009
【図８】
2017173630.tif 000010
【図９】
2017173630.tif 000011
【図１０】
2017173630.tif 000012
【図１１】
2017173630.tif 000013
【図１２】
2017173630.tif 000014
【図１３】
2017173630.tif 000015
【図１４】
2017173630.tif 000016
【図１５】
2017173630.tif 000017
【図１６】
2017173630.tif 000018
【図１７】
2017173630.tif 000019